(57)【要約】【課題】複数の撮像装置で連動撮影を行う場合に、その結果得られた画像の関連を容易に識別できるようにする。【解決手段】ネットワーク接続処理が終了した後、マスターカメラ１０９は、新規フォルダ作成通知をスレーブカメラ１０７、１０８に通知する。その後、マスターカメラ１０９、スレーブカメラ１０７、１０８は、連動撮影で撮影される画像ファイルを保存するための新規フォルダを作成する。例えばマスターカメラ１０９は、スレーブカメラ１０７、１０８からフォルダの番号を受信し、自身の有するフォルダの番号と比較して、１番大きな番号をインクリメントした番号を、カメラ１０７、１０８、１０９で作成する新規フォルダの番号として決定する。各カメラ１０７〜１０は、共通のフォルダの番号の新規フォルダに、末尾「１」から始まる連番を含むファイル名で画像ファイルを生成して記録する。【選択図】図３
2013219506.tif 000002
【特許請求の範囲】
【請求項１】
複数の撮像装置が連動して撮影を行う連動撮影の際にマスターとなる撮像装置であって、
連動撮影のためのネットワークを確立した後、スレーブとなる撮像装置に新規フォルダ作成通知を行うとともに、当該連動撮影で撮影される画像ファイルを保存するための新規フォルダを作成することを特徴とする撮像装置。
【請求項２】
前記スレーブとなる撮像装置からフォルダ情報を受信し、その受信したフォルダ情報と自身のフォルダ情報とに基づいて前記新規フォルダのフォルダ名を決定し、そのフォルダ名を前記スレーブとなる撮像装置に通知することを特徴とする請求項１に記載の撮像装置。
【請求項３】
前記新規フォルダのフォルダ名を通常撮影のときと同じルールで決定し、そのフォルダ名を前記スレーブとなる撮像装置に通知することを特徴とする請求項１に記載の撮像装置。
【請求項４】
複数の撮像装置が連動して撮影を行う連動撮影の際にスレーブとなる撮像装置であって、
連動撮影のためのネットワークを確立した後、マスターとなる撮像装置から新規フォルダ作成通知を受信し、当該連動撮影で撮影される画像ファイルを保存するための新規フォルダを作成することを特徴とする撮像装置。
【請求項５】
前記マスターとなる撮像装置に自身のフォルダ情報を送信し、その後に前記マスターとなる撮像装置から通知されるフォルダ名を、前記新規フォルダのフォルダ名とすることを特徴とする請求項４に記載の撮像装置。
【請求項６】
前記新規フォルダのフォルダ名を通常撮影のときと同じルールで決定し、前記新規フォルダに保存する当該連動撮影で撮影された画像ファイルのファイル名に、前記マスターとなる撮像装置から通知されたフォルダ名を含めることを特徴とする請求項４に記載の撮像装置。
【請求項７】
前記新規フォルダに保存する画像ファイルのファイル名に、当該連動撮影中の一回の撮影ごとに変わる番号を含めることを特徴とする請求項１乃至６のいずれか１項に記載の撮像装置。
【請求項８】
前記新規フォルダに保存した画像ファイルが削除された場合、その削除された画像ファイルの番号は当該連動撮影中には再利用しないことを特徴とする請求項７に記載の撮像装置。
【請求項９】
当該連動撮影中の一回の撮影で複数の画像ファイルを生成する場合、前記複数の画像ファイルのファイル名に前記番号を含めるとともに、前記番号は変えずに別の番号又は文字列を含めることを特徴とする請求項７又は８に記載の撮像装置。
【請求項１０】
複数の撮像装置が連動して撮影を行う撮影システムであって、
連動撮影のためのネットワークを確立した後、複数の撮像装置の中のマスターとなる撮像装置がスレーブとなる撮像装置に新規フォルダ作成通知を行い、前記マスターとなる撮像装置及び前記スレーブとなる撮像装置が、当該連動撮影で撮影される画像ファイルを保存するための新規フォルダを作成することを特徴とする撮影システム。
【請求項１１】
複数の撮像装置が連動して撮影を行う連動撮影の際にマスターとなる撮像装置の制御方法であって、
連動撮影のためのネットワークを確立した後、スレーブとなる撮像装置に新規フォルダ作成通知を行うとともに、当該連動撮影で撮影される画像ファイルを保存するための新規フォルダを作成するステップを有することを特徴とする撮像装置の制御方法。
【請求項１２】
複数の撮像装置が連動して撮影を行う連動撮影の際にスレーブとなる撮像装置の制御方法であって、
連動撮影のためのネットワークを確立した後、マスターとなる撮像装置から新規フォルダ作成通知を受信して、当該連動撮影で撮影される画像ファイルを保存するための新規フォルダを作成するステップを有することを特徴とする撮像装置の制御方法。
【請求項１３】
複数の撮像装置が連動して撮影を行う連動撮影の際にマスターとなる撮像装置を制御するためのプログラムであって、
連動撮影のためのネットワークを確立した後、スレーブとなる撮像装置に新規フォルダ作成通知を行うとともに、当該連動撮影で撮影される画像ファイルを保存するための新規フォルダを作成する処理をコンピュータに実行させるためのプログラム。
【請求項１４】
複数の撮像装置が連動して撮影を行う連動撮影の際にスレーブとなる撮像装置を制御するためのプログラムであって、
連動撮影のためのネットワークを確立した後、マスターとなる撮像装置から新規フォルダ作成通知を受信して、当該連動撮影で撮影される画像ファイルを保存するための新規フォルダを作成する処理をコンピュータに実行させるためのプログラム。
【発明の詳細な説明】
【技術分野】
【０００１】
本発明は、複数の撮像装置が連動して撮影を行う撮影システム、それに用いられる撮像装置、その制御方法及びプログラムに関する。
【背景技術】
【０００２】
近年、複数のカメラが連動して撮影を行う連動撮影システムが知られている。そこで問題となるのは、連動撮影を行うことで得られた複数の画像の管理方法である。連動撮影の際に複数のファイルを管理する方法として、互いに重複しないファイル名が付与されるよう、サーバーがファイル名を管理する技術が知られている（特許文献１）。
【先行技術文献】
【特許文献】
【０００３】
【特許文献１】特開２００４−１４０７９５号公報
【発明の概要】
【発明が解決しようとする課題】
【０００４】
しかしながら、特許文献１の技術では、重複しないファイル名を付与することは可能であるものの、複数のカメラで連動撮影を行う場合に、その結果得られた画像の関連を容易に識別することができない。
【０００５】
本発明は上記のような点に鑑みてなされたものであり、複数の撮像装置で連動撮影を行う場合に、その結果得られた画像の関連を容易に識別できるようにすることを目的とする。
【課題を解決するための手段】
【０００６】
本発明の撮像装置は、複数の撮像装置が連動して撮影を行う連動撮影の際にマスターとなる撮像装置であって、連動撮影のためのネットワークを確立した後、スレーブとなる撮像装置に新規フォルダ作成通知を行うとともに、当該連動撮影で撮影される画像ファイルを保存するための新規フォルダを作成することを特徴とする。
【発明の効果】
【０００７】
本発明によれば、複数の撮像装置で連動撮影を行う場合に、各撮像装置が当該連動撮影で撮影される画像ファイルを保存するための新規フォルダを作成するので、連動撮影で得られた画像の関連を容易に識別することができる。
【図面の簡単な説明】
【０００８】
【図１】第１の実施形態に係る連動撮影システム及びカメラの構成を示す図である。
【図２】一般的なファイル管理方法を用いたケースにおける、連動撮影の際に作成されるファイル構成を示す図である。
【図３】第１の実施形態に係る連動撮影システムにおける連動撮影処理の流れを示すフローチャートである。
【図４】新規フォルダ作成処理の詳細を示すフローチャートである。
【図５】第１の実施形態における連動撮影の際に作成されるファイル構成を示す図である。
【図６】第２の実施形態に係る連動撮影システムにおける連動撮影処理の流れを示すフローチャートである。
【図７】第２の実施形態における連動撮影の際に作成されるファイル構成を示す図である。
【図８】第５の実施形態における連動撮影の際に作成されるファイル構成を示す図である。
【図９】第５の実施形態における画像ファイルの表示の一例を説明するための図である。
【発明を実施するための形態】
【０００９】
以下、添付図面を参照して、本発明の好適な実施形態について説明する。
（第１の実施形態）
図１（ａ）は、実施形態に係る撮像装置の一例であるカメラ１００の構成を示す図である。
撮像部１０１は、ＣＭＯＳやＣＣＤ等の撮像素子、レンズ、シャッター等、画像を撮影して画像データを生成し、画像ファイルを生成する部分である。
記録部１０２は、撮像部１０１で生成された画像データの一次保存や生成された画像ファイルを内部メモリやＣＦカード等の着脱可能なメモリに記録する。ファイル名は連番を含むように命名されて、画像ファイルが記録される。
操作部１０３は、撮影のためのレリーズ釦、カメラのパラメータを設定するための釦等を含み、表示部１０４に画像データを表示させる操作、表示させた画像ファイルを消去する操作等を制御する。
表示部１０４は、画像ファイルの表示、ライブビュー表示、カメラのパラメータを設定するためのメニュー表示、現在のカメラ設定状況の表示等を行う。
通信部１０５は、有線ＬＡＮ、無線ＬＡＮ、Bluetooth（登録商標）等の通信機能を持ち、他の通信可能な機器との接続を行う。本実施形態では、カメラ同士を無線ＬＡＮで接続することに使用される。
制御部１０６は、各部からの入力信号やプログラムに従って、カメラ１００の各部を制御する。
【００１０】
図１（ｂ）は、実施形態に係る連動撮影システムの概要を示す図である。本実施形態における連動撮影とは、複数のカメラ１０７、１０８、１０９間で通信し、複数のカメラ１０７、１０８、１０９が連動して撮影を行う動作をいう。各カメラ１０７、１０８、１０９にはマスター、スレーブという役割を設定し、撮影指示を送信するカメラをマスターカメラ、マスターカメラからの撮影指示に従って撮影を行うカメラをスレーブカメラとする。
【００１１】
以下、カメラ１０７〜１０９の接続について説明する。カメラ１０７〜１０９の構成はいずれも図１（ａ）で説明した構成となっている。
ユーザはカメラ１０９の操作部１０３を操作して表示部１０４にメニューを表示させ、カメラ１０９をマスターカメラに設定する。この操作に応じて、カメラ１０９はスレーブカメラの接続待ち状態に移行する。
次に、ユーザはカメラ１０７、カメラ１０８の操作部１０３を操作してスレーブカメラに設定し、マスターカメラ１０９への接続を指示する。この操作により、マスターカメラ１０９への接続要求が送信される。
スレーブカメラ１０７、１０８から接続要求を受信したマスターカメラ１０９は、表示部１０４に、接続要求を受信したスレーブカメラの台数を表示する。ユーザはスレーブカメラの台数を確認し、操作部１０３を操作して接続指示を行う。この操作により、マスターカメラ１０９からスレーブカメラ１０７、１０８への接続指示が送信される。
マスターカメラ１０９から接続指示を受信したスレーブカメラ１０７、１０８は、マスターカメラ１０９と無線接続のためのパラメータ交換を行い、無線ＬＡＮのアドホックモードでネットワークを確立する。
この段階で、カメラ１０９はマスターカメラ、カメラ１０７、カメラ１０８はスレーブカメラとして設定され、マスターカメラ１０９からの撮影指示に従ってスレーブカメラ１０７、１０８が撮影を行う連動撮影が可能となる。
【００１２】
まず、理解を容易にするために、一般的なファイル管理方法を用いたケースについて説明する。図２（ａ）、（ｂ）は、一般的なファイル管理方法を用いたケースにおける、連動撮影の際に作成されるファイル構成である。２０１はマスターカメラ１０９のファイル構成の例を、２０２はスレーブカメラ１０７のファイル構成の例を、２０３はスレーブカメラ１０８のファイル構成の例を示す。
図２（ａ）は、連動撮影を行う前のファイル構成を示す。マスターカメラ１０９のファイル構成２０１では、ＤＣＩＭフォルダの下にＩＭＧ１２３フォルダがあり、その下に画像ファイル「ＩＭＧ＿００１０．ＪＰＧ」が保存されている。スレーブカメラ１０７のファイル構成２０２では、ＤＣＩＭフォルダの下にＩＭＧ１００フォルダがあり、その下に「ＩＭＧ＿０６１２．ＪＰＧ」が保存されている。スレーブカメラ１０８のファイル構成２０３では、ＤＣＩＭフォルダの下にＩＭＧ８１０フォルダがあり、その下に「ＩＭＧ＿０００２．ＪＰＧ」が保存されている。
【００１３】
この状態で、連動撮影を行った後のファイル構成を図２（ｂ）に示す。連動撮影が行われると、マスターカメラ１０９は、ＩＭＧ１２３フォルダ下に「ＩＭＧ＿００１１．ＪＰＧ」を作成する。マスターカメラ１０９から撮影指示を受信したスレーブカメラ１０７、１０８は、それぞれＩＭＧ１００フォルダ、ＩＭＧ８１０フォルダに「ＩＭＧ＿０６１３．ＪＰＧ」、「ＩＭＧ＿０００３．ＪＰＧ」を作成する。
この場合、マスターカメラ１０９の「ＩＭＧ＿００１１．ＪＰＧ」、スレーブカメラ１０７の「ＩＭＧ＿０６１３．ＪＰＧ」、スレーブカメラ１０８の「ＩＭＧ＿０００３．ＪＰＧ」は一連の連動撮影で得られた関連性の高い画像である。しかしながら、一旦各カメラ１０７、１０８、１０９のファイル構成で保存されてしまうと、どの画像同士が一連の連動撮影で得られたものであるかをユーザが識別するのは困難である。この問題は、連動撮影した画像ファイルが多くなるほど顕著になる。
【００１４】
ここまで、一般的なファイル管理方法を用いたケースを想定して説明した。前述したように、一般的なファイル管理方法では、連動撮影で得られた画像の関連を容易に識別することが困難である。
そこで、連動撮影で得られた画像の関連をユーザが容易に把握できるようにする。
図３は、本実施形態に係る連動撮影システムにおける連動撮影処理の流れを示すフローチャートである。図３（ａ）はマスターカメラ１０９の動作を、図３（ｂ）はスレーブカメラ１０７、１０８の動作を示す。
マスターカメラ１０９、スレーブカメラ１０７、１０８で連動撮影を行うためのネットワーク接続処理を行う（ステップＳ３００、Ｓ３１１）。この処理は前述したため、ここでは説明を省略する。
【００１５】
ネットワーク接続処理が終了した後、マスターカメラ１０９は、新規フォルダ作成通知をスレーブカメラ１０７、１０８に通知する（ステップＳ３０１）。
スレーブカメラ１０７、１０８は、新規フォルダ作成通知を受信したら（ステップＳ３１２）、マスターカメラ１０９に新規フォルダ作成通知の受信完了を通知する（ステップＳ３１３）。その後、スレーブカメラ１０７、１０８は、新規フォルダを作成する（ステップＳ３１４）。この新規フォルダ作成の処理の詳細は後述する。
マスターカメラ１０９は、スレーブカメラ１０７、１０８から新規フォルダ作成通知受信完了通知を受信すると（ステップＳ３０２）、自身も新規フォルダを作成する（ステップＳ３０３）。この新規フォルダ作成の処理の詳細は後述する。
【００１６】
その後、ユーザ操作等によりマスターカメラ１０９において連動撮影を指示するための操作が行われたと判断すると（ステップＳ３０４）、マスターカメラ１０９は、スレーブカメラ１０７、１０８に撮影指示を送信する（ステップＳ３０５）。
撮影指示の送信と並行して、マスターカメラ１０９は、連動撮影を行い（ステップＳ３０６）、ステップＳ３０３において作成した新規フォルダ内に末尾「１」から始まる連番を含むファイル名で画像ファイルを作成して記録する（ステップＳ３０７）。このようにすることで、新規フォルダ内には連動撮影で得られた画像データが連番で保存されるようになる。
スレーブカメラ１０７、１０８は、マスターカメラから撮影指示を受信すると（ステップＳ３１５）、それぞれ連動撮影を行う（ステップＳ３１６）。その後、スレーブカメラ１０７、１０８は、それぞれステップＳ３１４において作成した新規フォルダ内に末尾「１」から始まる連番を含むファイル名で画像ファイルを作成して記録する（ステップＳ３１７）。このようにすることで、新規フォルダ内には連動撮影で得られた画像データが連番で保存されるようになる。
【００１７】
なお、新規フォルダの作成タイミングは連動撮影の動作前として説明したが、連動撮影の動作後としてもよい。例えばマスターカメラ１０９、スレーブカメラ１０７、１０８は、画像ファイルを生成して記録する際に（ステップＳ３０７、Ｓ３１７）、新規フォルダを作成してもよい。新規フォルダの作成は、新規フォルダ作成通知を送受信した１回のみ行うように内部制御される。
【００１８】
次に、図４を参照して、図３のステップＳ３０３、Ｓ３１４の新規フォルダ作成処理について詳しく説明する。図４（ａ）はマスターカメラ１０９の動作を、図３（ｂ）はスレーブカメラ１０７、１０８の動作を示す。
マスターカメラ１０９は、スレーブカメラ１０７、１０８からフォルダ情報であるフォルダの番号の受信を待つ（ステップＳ４０１、Ｓ４０２）。
スレーブカメラ１０７、１０８は、マスターカメラ１０９に対して、現在自身が有するフォルダの番号を通知する（ステップＳ４１０）。この場合に、スレーブカメラ１０７、１０８は、ＤＣＩＭフォルダの下位層にある全てのフォルダの番号を通知してもよいし、そのうち最も大きな番号を通知してもよい。
【００１９】
マスターカメラ１０９は、全てのスレーブカメラ１０７、１０８からフォルダの番号を受信したら（ステップＳ４０２）、新規フォルダの番号を決定する（ステップＳ４０３）。ここでは、自身の有するフォルダの番号とスレーブカメラ１０７、１０８から受信したフォルダの番号とを比較する。そして、１番大きな番号、本例の場合はスレーブカメラ１０８の「８１０」を抽出し、その番号をインクリメントした番号を新規フォルダの番号として決定する。
【００２０】
新規フォルダの番号の決定後、マスターカメラ１０９は、新規フォルダ作成指示と新規フォルダの番号をスレーブカメラ１０７、１０８に通知する（ステップＳ４０４）。
スレーブカメラ１０７、１０８は、マスターカメラ１０９から新規フォルダ作成指示と新規フォルダの番号を受信後（ステップＳ４１２）、それぞれ受信したフォルダの番号で新規フォルダを作成する（ステップＳ４１３）。
マスターカメラ１０９は、全てのスレーブカメラ１０７、１０８に新規フォルダ作成通知とフォルダの番号の通知を行った後（ステップＳ４０５）、スレーブカメラ１０７、１０８に通知したフォルダの番号で新規フォルダを作成する（ステップＳ４０６）。
【００２１】
図５を参照して、本実施形態における連動撮影を行った場合のファイル構成を説明する。なお、連動撮影前は図２（ａ）の状態であったものとする。
連動撮影のためのネットワーク接続処理を終了すると、スレーブカメラ１０７、１０８は、それぞれ自身のフォルダの番号をマスターカメラ１０９に通知する（ステップＳ４１０）。本例においては、スレーブカメラ１０７は「１００」を、スレーブカメラ１０８は「８１０」を通知する。
マスターカメラ１０９は、スレーブカメラ１０７、１０８からフォルダの番号を受信したら（ステップＳ４０２）、自身のフォルダの番号「１２３」とスレーブカメラ１０７、１０８から受信したフォルダの番号「１００」、「８１０」とを比較する。そして、１番大きな番号「８１０」をインクリメントした「８１１」を新規フォルダの番号として決定する（ステップＳ４０３）。
新規フォルダの番号の決定後、マスターカメラ１０９は、新規フォルダ作成指示と新規フォルダの番号「８１１」をスレーブカメラ１０７、１０８に通知する（ステップＳ４０４）。
このようにすることで、図５に示すように、各カメラ１０７、１０８、１０９に新規フォルダ「ＩＭＧ８１１」が作成される。
新規フォルダ作成後、連動撮影が行われると、各カメラ１０７、１０８、１０９は、新規フォルダ「ＩＭＧ８１１」に、末尾「１」から始まる連番を含むファイル名で画像ファイルを生成して記録する（ステップＳ３０７、Ｓ３１７）。
【００２２】
以上のように、連動撮影を行う場合、マスターカメラ１０９とスレーブカメラ１０７、１０８とが共通のフォルダの番号の新規フォルダを作成し、末尾「１」から始まる連番を含むファイル名で画像ファイルを生成して記録する。これにより、連動撮影で得られた画像の関連を容易に識別することができる。
【００２３】
（第２の実施形態）
以下、第２の実施形態について説明する。なお、カメラ及び連動撮影システムの構成は第１の実施形態と同様であり、以下では、共通部分については説明を省略し、本実施形態に特有の部分を中心に説明する。
第１の実施形態では、新規フォルダの番号を共通のものとすることにより連動撮影で得られた画像データを識別可能とした。それに対して、第２の実施形態では、連動撮影で得られた画像データを識別可能なように画像ファイルを命名するようにしている。
【００２４】
図６は、本実施形態に係る連動撮影システムにおける連動撮影処理の流れを示すフローチャートである。図３（ａ）はマスターカメラ１０９の動作を、図３（ｂ）はスレーブカメラ１０７、１０８の動作を示す。
マスターカメラ１０９、スレーブカメラ１０７、１０８で連動撮影を行うためのネットワーク接続処理を行う（ステップＳ６００、Ｓ６１１）。これは、図３のステップＳ３００、Ｓ３１１と同様の処理である。その後、スレーブカメラ１０７、１０８は、マスターカメラ１０９からの通知の受信待ち状態になる（ステップＳ６１２）。
【００２５】
ネットワーク接続処理が終了した後、マスターカメラ１０９は、新規フォルダ名を決定する（ステップＳ６０１）。第１の実施形態では、スレーブカメラ１０７、１０８から受信した情報を考慮して新規フォルダの番号を決定していたのに対し、本実施形態では、まずマスターカメラ１０９が通常撮影のときと同じルールで新規フォルダの番号を決定する。すなわち、自身のフォルダの番号をインクリメントした番号を新規フォルダの番号として決定する。なお、他のルールで新規フォルダ名を決定してもよく、その場合はそのフォルダ名を新規フォルダ名とする。
【００２６】
新規フォルダの番号の決定後、マスターカメラ１０９は、新規フォルダ作成通知と新規フォルダ名（もしくは新規フォルダの番号のみ）をスレーブカメラ１０７、１０８に通知する（ステップＳ６０２）。
スレーブカメラ１０７、１０８は、マスターカメラ１０９から新規フォルダ作成通知と新規フォルダ名を受信したら、マスターカメラ１０９に新規フォルダ作成通知の受信完了を通知する（ステップＳ６１３）。その後、スレーブカメラ１０７、１０８は、新規フォルダを作成する（ステップＳ６１４）。ここでも、スレーブカメラ１０７、１０８はそれぞれ通常撮影のときと同じルールで新規フォルダの番号を決定する。すなわち、自身のフォルダの番号をインクリメントした番号を新規フォルダの番号として決定する。
マスターカメラ１０９は、スレーブカメラ１０７、１０８から新規フォルダ作成通知受信完了通知を受信すると（ステップＳ６０３）、自身もステップＳ６０１で決定した新規フォルダ名で新規フォルダを作成する（ステップＳ６０４）。
【００２７】
その後の連動撮影に関するステップＳ６０５〜Ｓ６０７、Ｓ６１５、Ｓ６１６の処理は、図３のステップＳ３０４〜Ｓ３０６、Ｓ３１５、Ｓ３１６の処理と同様であるから、ここでは説明を省略する。
マスターカメラ１０９は、ステップＳ６０４において作成した新規フォルダ内に末尾「１」から始まる連番を含むファイル名で画像ファイルを作成して記録する（ステップＳ６０８）。
スレーブカメラ１０７、１０８は、それぞれステップＳ６１４において作成した新規フォルダ内に、マスターカメラ１０９から受信した新規フォルダの番号と末尾「１」から始まる連番とを含むファイル名で画像ファイルを作成して記録する（ステップＳ６１７）。
【００２８】
図７を参照して、本実施形態における連動撮影を行った場合のファイル構成を説明する。なお、連動撮影前は図２（ａ）の状態であったものとする。
連動撮影のためのネットワーク接続処理を終了すると、マスターカメラ１０９は、新規フォルダ名を決定する（ステップＳ６０１）。マスターカメラ１０９は、現在の最大の番号を有するフォルダである「ＩＭＧ１２３」の番号をインクリメントして「ＩＭＧ１２４」とする（ステップＳ６０１）。そして、マスターカメラ１０９は、スレーブカメラ１０７、１０８に新規フォルダ作成通知と新規フォルダの番号「１２４」を通知する（ステップＳ６０２）。
スレーブカメラ１０７、１０８は、前記通知を受信し、受信完了をマスターカメラ１０９に通知する（ステップ６１３）。そして、スレーブカメラ１０７、１０８は、それぞれ新規フォルダ「ＩＭＧ１０１」、「ＩＭＧ８１１」を作成する（ステップＳ６１４）。それぞれ、既存のフォルダの最大番号をインクリメントしたフォルダ名である。
新規フォルダ作成後、連動撮影が行われると、マスターカメラ１０９は、新規フォルダ「ＩＭＧ１２４」に、末尾「１」から始まる連番を含むファイル名で「ＩＭＧ＿０００１．ＪＰＧ」、「ＩＭＧ＿０００２．ＪＰＧ」・・・と画像ファイルを作成する（ステップＳ６０８）。また、スレーブカメラ１０７、１０８は、それぞれ新規フォルダ「ＩＭＧ１０１」、「ＩＭＧ８１１」に、マスターカメラ１０９から受信した新規フォルダの番号「１２４」と末尾「１」から始まる連番とを含むファイル名で「１２４＿０００１．ＪＰＧ」、「１２４＿０００２．ＪＰＧ」・・・と画像ファイルを作成する（ステップＳ６１７）。
【００２９】
以上のように、連動撮影したマスターカメラ１０９の画像ファイルと関連するスレーブカメラ１０７、１０８の画像ファイルを見たい場合、マスターカメラ１０９において連動撮影に利用された新規フォルダの番号を含むファイル名の画像ファイルを探せばよい。これにより、連動撮影で得られた画像の関連を容易に識別することができる。
【００３０】
（第３の実施形態）
以下、第３の実施形態について説明する。なお、カメラ及び連動撮影システムの構成は第１の実施形態と同様であり、以下では、共通部分については説明を省略し、本実施形態に特有の部分を中心に説明する。
第３の実施形態では、連動撮影で生成された画像ファイルが削除された場合の画像ファイルの命名について説明する。
【００３１】
本実施形態は、第１の実施形態と同様に、連動撮影において新規フォルダの番号を共通のものとする。その結果、図５に示すようなファイル構成が得られる。
連動撮影に使用される新規フォルダは、カメラ１０７、１０８、１０９で共通のＩＭＧ８１１フォルダであり、連動撮影により４枚の画像が撮影されているとする。すなわち、各カメラ１０７、１０８、１０９のファイル構成２０２、２０３、２０１で、それぞれＩＭＧ８１１フォルダ内の「ＩＭＧ＿０００１．ＪＰＧ」から「ＩＭＧ＿０００４．ＪＰＧ」までである。
【００３２】
図５に示すように、ユーザがスレーブカメラ１０７のファイル構成２０２から画像ファイル「ＩＭＧ＿０００４．ＪＰＧ」５０１を削除したとする。通常は削除された番号が次の撮影で使用されるので、次の連動撮影で撮影されたファイル名は、マスターカメラ１０９では「ＩＭＧ＿０００５．ＪＰＧ」、スレーブカメラ１０７では「ＩＭＧ＿０００４．ＦＰＧ」、スレーブカメラ１０８では「ＩＭＧ＿０００５．ＪＰＧ」となる。
【００３３】
しかしながら、画像ファイルの番号がずれると、連番を含むファイル名からマスターカメラ１０９の画像ファイルとスレーブカメラ１０７、１０８の画像ファイルとの関連を識別しにくくなる。
そこで、新規フォルダ（ＩＭＧ８１１フォルダ）に保存した画像ファイルが削除された場合、その削除された画像ファイルの番号は当該連動撮影中には再利用せず、次の番号を連番の番号としてファイル名に含むようにする。すなわち、図５に示すように、マスターカメラ１０９、スレーブカメラ１０７、１０８の画像ファイルのファイル名はいずれも「ＩＭＧ＿０００５．ＪＰＧ」となる。これにより、マスターカメラ１０９の画像ファイルとスレーブカメラ１０７、１０８の画像ファイルとの関連性を保つ。
なお、連動撮影から抜けた場合は、通常通り削除された連番の番号も使用してファイル名を作成するように切り替える。
【００３４】
（第４の実施形態）
以下、第４の実施形態について説明する。なお、カメラ及び連動撮影システムの構成は第１の実施形態と同様であり、以下では、共通部分については説明を省略し、本実施形態に特有の部分を中心に説明する。
第４の実施形態では、連動撮影中にスレーブカメラ１０７、１０８でローカルレリーズを行った場合の画像ファイルの命名について説明する。
【００３５】
本実施形態は、第２の実施形態と同様に、連動撮影において、スレーブカメラ１０７、１８で、マスターカメラ１０９の新規フォルダの番号を含むようにファイル名が与えられるものとする。その結果、図７に示すようなファイル構成が得られる。
連動撮影に使用されるフォルダは、マスターカメラ１０９ではＩＭＧ１２４フォルダ、スレーブカメラ１０７ではＩＭＧ１０１フォルダ、スレーブカメラ１０８ではＩＭＧ８１１フォルダである。連動撮影により、マスターカメラ１０９では「ＩＭＧ＿０００１．ＪＰＧ」から「ＩＭＧ＿０００５．ＪＰＧ」の画像ファイルがあり、スレーブカメラ１０７、１０８ではマスターカメラ１０９の新規フォルダの番号と連番とを含むファイル名の「１２４＿０００１．ＪＰＧ」から「１２４＿０００５．ＪＰＧ」の画像ファイルがあるとする。
【００３６】
その後、例えばスレーブカメラ１０７の撮影釦を押下することでローカルレリーズを行うと、スレーブカメラ１０７から他のカメラ、ここではマスターカメラ１０９とスレーブカメラ１０８に対してローカルレリーズ発生通知を通知する。ローカルレリーズ発生通知を受信したマスターカメラ１０９とスレーブカメラ１０８は、連番の番号をレリーズ通知の数だけインクリメントし、次の連動撮影で得られる画像ファイルの連番の番号としてファイル名に使用する。これにより、マスターカメラ１０９とスレーブカメラ１０７、１０８とで連動撮影して作成された画像ファイルに連番を含むファイル名をつけることで容易に関連を識別することができる。
【００３７】
また、ローカル撮影された画像のファイル名は「ＩＭＧ＿０００６．ＪＰＧ」７０１のように連動撮影モードを抜けたときの通常の画像ファイルの命名規則に沿って作成される。これにより、連動撮影での画像ファイルかローカル撮影での画像ファイルかが目視で見分けることが可能となる。
【００３８】
なお、第１の実施形態と同様に、連動撮影において新規フォルダの番号を共通のものとする場合、例えば連動撮影中にスレーブカメラ１０７でローカルレリーズを行った場合、スレーブカメラ１０７は、新規にＩＭＧ８１２というフォルダを作成して画像ファイルを作成するようにしてもよい。マスターカメラ１０９からの撮影指示による連動撮影においては、ＩＭＧ８１１に連番を含むファイル名で画像ファイルを生成して記録する。
【００３９】
（第５の実施形態）
以下、第５の実施形態について説明する。なお、カメラ及び連動撮影システムの構成は第１の実施形態と同様であり、以下では、共通部分については説明を省略し、本実施形態に特有の部分を中心に説明する。
第５の実施形態では、連動撮影でマスターカメラ１０９とスレーブカメラ１０７、１０８とで、単写撮影、連写撮影といったドライブモードが違う場合の画像ファイルの命名について説明する。
【００４０】
本実施形態は、第１の実施形態と同様に、連動撮影において新規フォルダの番号を共通のものとする。その結果、図８に示すようなファイル構成が得られる。連動撮影に使用される新規フォルダは、カメラ１０７、１０８、１０９で共通のＩＭＧ８１１フォルダである。
ここで、マスターカメラ１０９とスレーブカメラ１０８は単写撮影の設定であり、スレーブカメラ１０７は連写撮影の設定となっているとする。この場合、マスターカメラ１０９のシャッタースピードによって、撮影指示を受けたスレーブカメラ１０７は複数枚の撮影を行うことができる。
マスターカメラ１０９のファイル構成２０１の「ＩＭＧ＿０００１．ＪＰＧ」は、マスターカメラ１０９で単写撮影したときの画像ファイルである。この撮影と連動したスレーブカメラ１０７の画像ファイルは「ＩＭＧ＿０００１．ＪＰＧ」、「ＩＭＧ＿０００１＿１．ＪＰＧ」、「ＩＭＧ＿０００１＿２．ＪＰＧ」、「ＩＭＧ＿０００１＿３．ＪＰＧ」である。すなわち、マスターカメラ１０９の一回の撮影で、スレーブカメラ１０７は４枚の撮影を行った。連動撮影モードでの連写撮影においては、連番を含むファイルの番号の連番はインクリメントせずに、別の番号又は文字列を連写用に割り振る。本実施形態では、サフィックスの番号を付けてファイル名としての連番０００１はそのままで、サフィックス＿１、＿２、＿３をつけることでファイルを区別する。
【００４１】
次に、マスターカメラ１０９で撮影をした場合、スレーブカメラ１０７の連番を含むファイル名の番号は０００２を使用する。これにより、マスターカメラ１０９、スレーブカメラ１０７、１０８のファイル名はＩＭＧ＿０００２．ＪＰＧとなり、連動撮影した画像ファイルの関連が保たれる。
【００４２】
図９にスレーブカメラ１０７の背面を示す。表示部１０４に画像を表示している。画像９０１は太枠になっており、この画像には連写した別の画像があることを示している。この表示は色を変えてもアイコン等でも良い。
画像９０１にフォーカスをし、所定の釦９０７を押下すると、連写した関連ファイルを表示する画面に遷移し、画像９０２、９０３、９０４、９０５を表示する。画像９０１が「ＩＭＧ＿０００１．ＪＰＧ」、画像９０１を指定して関連する画像ファイルを表示したときの画像９０２が「ＩＭＧ＿０００１．ＪＰＧ」、画像９０３が「ＩＭＧ＿０００１＿１．ＪＰＧ」、画像９０４が「ＩＭＧ＿０００１＿２．ＪＰＧ」、画像９０５が「ＩＭＧ＿０００１＿３．ＪＰＧ」となる。
【００４３】
以上のように、単写撮影、連写撮影といったドライブモードが異なる連動撮影においても、連番を含むファイル名で画像ファイルを命名することで、連動撮影されたマスターカメラ１０９の画像ファイルとスレーブカメラ１０７、１０８の画像ファイルの関連をユーザが容易に識別することができる。
【００４４】
以上、本発明の好ましい実施形態について説明したが、本発明はこれらの実施形態に限定されず、その要旨の範囲内で種々の変形及び変更が可能である。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013219506.tif 000003
【図２】
2013219506.tif 000004
【図３】
2013219506.tif 000005
【図４】
2013219506.tif 000006
【図５】
2013219506.tif 000007
【図６】
2013219506.tif 000008
【図７】
2013219506.tif 000009
【図８】
2013219506.tif 000010
【図９】
2013219506.tif 000011